(57)【要約】【課題】ヘッダタンク側のリブの凸状部にチューブ挿入孔を設けて扁平熱交換チューブを挿入接続し、ヘッダタンクと扁平熱交換チューブの蝋付け部にかかる応力を低減するとともに、その蝋付け品質を向上した熱交換器を提供することを目的とする。【解決手段】ヘッダタンクの対向面に、外側または内側に凸状のリブ１６を所定間隔で平行に複数設け、該リブ１６の凸状部１８に設けたチューブ挿入孔１９に扁平熱交換チューブ４を挿入接続し、そのチューブ４の扁平面とリブ面とがなす接合角度θを、９０°≦θ≦１２０°とするとともに、該リブ１６の凸状部１８のリブ幅をＬ１、その基端部幅をＬ２、チューブ挿入孔１９を設けたタンク材の板厚ｔ１又は扁平熱交換チューブ４の厚さｔ２の小さい方の厚さをＴｍｉｎ、ヘッダタンクの全長をＷ、扁平熱交換チューブ４の本数をＮとしたとき、Ｌ１≧０．８×Ｔｍｉｎ、Ｌ２≦０．６×Ｗ／Ｎを満たす構成とした。【選択図】図３
2016080236.tif 000002
【特許請求の範囲】
【請求項１】
所定間隔で平行に配設される一対のヘッダタンクと、
前記一対のヘッダタンクに両端部が挿入接続されて平行に配設される複数本の扁平熱交換チューブと、
前記複数本の扁平熱交換チューブ間に配設される伝熱フィンと、を備え、
前記一対のヘッダタンクの互いに対向する面に、それぞれ所定の間隔で平行に外側または内側に凸状のリブを複数設け、
前記リブの凸状部に設けたスリット状のチューブ挿入孔に前記扁平熱交換チューブを挿入接続し、そのリブ面と前記扁平熱交換チューブの扁平面とがなす接合角度θを、９０°≦θ≦１２０°とするとともに、
前記リブの凸状部のリブ幅をＬ１、その基端部幅をＬ２、前記チューブ挿入孔を設けたヘッダタンク材の板厚ｔ１又は前記扁平熱交換チューブの厚さｔ２のいずれか小さい方の厚さをＴｍｉｎ、前記ヘッダタンクの全長をＷ、前記扁平熱交換チューブの本数をＮとしたとき、
Ｌ１≧０．８×Ｔｍｉｎ（板厚ｔ１又はチューブ厚さｔ２）
Ｌ２≦０．６×Ｗ／Ｎ
を満たす構成とされていることを特徴とする熱交換器。
【請求項２】
前記リブが外側に凸状に設けられている場合、前記リブのリブ面と前記扁平熱交換チューブの扁平面とがなす前記接合角度θが、
９０°≦θ≦１２０°
とされていることを特徴とする請求項１に記載の熱交換器。
【請求項３】
前記リブが内側に凸状に設けられている場合、前記リブのリブ面と前記扁平熱交換チューブの扁平面とがなす前記接合角度θが、
９０°≦θ≦１０５°
とされていることを特徴とする請求項１に記載の熱交換器。
【発明の詳細な説明】
【技術分野】
【０００１】
本発明は、一対のヘッダタンク間に複数本の扁平熱交換チューブが並設されている熱交換器に関するものである。
【背景技術】
【０００２】
車両用空調装置のエバポレータやコンデンサ、あるいは水冷エンジンの冷却水の熱を放熱するラジエータ等に用いられる熱交換器として、所定間隔で配設された一対のヘッダタンク間に、複数本の扁平熱交換チューブを並設し、その扁平熱交換チューブ間に波形の伝熱フィンを配設した構成の熱交換器が使用されている。
【０００３】
この熱交換器は、蝋材をクラッドしたクラッド材を成形したヘッダプレートとタンクプレートとを接合してヘッダタンクを構成し、そのヘッダプレート側に設けられているチューブ挿入孔に複数本の扁平熱交換チューブの両端部を挿入するとともに、複数本の扁平熱交換チューブ間に蝋材をクラッドした薄板材を成形した波形の伝熱フィンを配設し、それらを炉中で蝋付けすることにより、ヘッダプレートとタンクプレート間、各ヘッダタンクと扁平熱交換チューブ間および扁平熱交換チューブと伝熱フィン間を蝋付け接合した構成としている。
【０００４】
かかる熱交換器において、ヘッダタンクの耐圧強度を確保するため、ヘッダタンクを構成するヘッダプレートおよびタンクプレートにリブを加工する。ヘッダプレート側に設けられるチューブ挿入孔周りにバーリング加工をする。ヘッダプレート側のチューブ挿入孔間に外側または内側に凸状のリブを加工する。ヘッダプレート側に内側に凸状のリブを加工し、その先端部にチューブ挿入孔を設ける。等によりヘッダタンクの耐圧強度を高めるようにしたものが特許文献１−４等に開示されている。
【先行技術文献】
【特許文献】
【０００５】
【特許文献１】特開２０１４−２０６６９号公報
【特許文献２】特開２０１３−６８３８７号公報
【特許文献３】特開２００７−３２７６６４号公報
【特許文献４】特開２０００−２８３６８９号公報
【発明の概要】
【発明が解決しようとする課題】
【０００６】
上記のように、チューブ挿入孔周りにバーリング加工を施したものでは、ヘッダタンクと扁平熱交換チューブとの接触面積を増加し、静的接合強度を向上することができるとともに、ヘッダタンクの剛性を高めることができる反面、バーリングによる接触面積の増加によって必要な蝋材量が増加し、蝋材が不足した場合、蝋付け箇所において引けが発生し易くなり、蝋付け品質が低下する虞があった。この問題を解消するため、蝋材のクラッド率を上げることが考えられるが、接合部材間の隙間が大きくなることから、クラッド率を上げるだけでは、かかる問題は解消し得ず、対応が難しくなる等の課題があった。
【０００７】
また、チューブ挿入孔間にリブを加工した場合でも、扁平熱交換チューブの扁平面とリブ面とが交差角が鋭角とされていると、良好な蝋付けフィレットを形成するには、多量の蝋材が必要となり、上記と同様の問題が発生する虞がある。更に、リブの凸状部にチューブ挿入孔を設け、扁平熱交換チューブを挿入接続して蝋付けするものでは、リブ側の面と扁平熱交換チューブの扁平面とがなす接合角度によっては、良好な蝋付け品質を確保することが困難となったり、圧力負荷時に扁平熱交換チューブとヘッダタンクとの蝋付け部に過大な応力が負荷されたりすることがある等の課題を有していた。
【０００８】
本発明は、このような事情に鑑みてなされたものであって、ヘッダタンク側に設けたリブの凸状部にチューブ挿入孔を設け、その挿入孔に扁平熱交換チューブを挿入接続した熱交換器にあって、ヘッダタンクと扁平熱交換チューブの蝋付け部にかかる応力を低減するとともに、その蝋付け品質を向上した熱交換器を提供することを目的とする。
【課題を解決するための手段】
【０００９】
上記した課題を解決するために、本発明の熱交換器は、以下の手段を採用する。
すなわち、本発明にかかる熱交換器は、所定間隔で平行に配設される一対のヘッダタンクと、前記一対のヘッダタンクに両端部が挿入接続されて平行に配設される複数本の扁平熱交換チューブと、前記複数本の扁平熱交換チューブ間に配設される伝熱フィンと、を備え、前記一対のヘッダタンクの互いに対向する面に、それぞれ所定の間隔で平行に外側または内側に凸状のリブを複数設け、前記リブの凸状部に設けたスリット状のチューブ挿入孔に前記扁平熱交換チューブを挿入接続し、そのリブ面と前記扁平熱交換チューブの扁平面とがなす接合角度θを、９０°≦θ≦１２０°とするとともに、前記リブの凸状部のリブ幅をＬ１、その基端部幅をＬ２、前記チューブ挿入孔を設けたヘッダタンク材の板厚ｔ１又は前記扁平熱交換チューブの厚さｔ２のいずれか小さい方の厚さをＴｍｉｎ、前記ヘッダタンクの全長をＷ、前記扁平熱交換チューブの本数をＮとしたとき、Ｌ１≧０．８×Ｔｍｉｎ（板厚ｔ１又はチューブ厚さｔ２）、Ｌ２≦０．６×Ｗ／Ｎを満たす構成とされていることを特徴とする。
【００１０】
本発明によれば、ヘッダタンクの耐圧強度を確保すべく、一対のヘッダタンクの対向する面に、それぞれ外側または内側に凸状のリブを所定間隔で平行に複数設けたヘッダタンクにあって、リブの凸状部に設けたスリット状のチューブ挿入孔に扁平熱交換チューブを挿入接続し、そのリブ面と扁平熱交換チューブの扁平面とがなす接合角度θを、９０°≦θ≦１２０°とするとともに、該リブの凸状部のリブ幅をＬ１、その基端部幅をＬ２、チューブ挿入孔を設けたヘッダタンク材の板厚ｔ１又は扁平熱交換チューブの厚さｔ２のいずれか小さい方の厚さをＴｍｉｎ、ヘッダタンクの全長をＷ、扁平熱交換チューブの本数をＮとしたとき、Ｌ１≧０．８×Ｔｍｉｎ（板厚ｔ１又はチューブ厚さｔ２）、Ｌ２≦０．６×Ｗ／Ｎを満たす構成としているため、チューブ挿入孔周りのバーリングをなくしたバーリングレス構造としても、リブを所定間隔で平行に複数設けたことにより、ヘッダタンクの耐圧強度を十分確保することができ、しかも、そのリブの凸状部に設けたチューブ挿入孔に挿入接続した扁平熱交換チューブの扁平面とリブ面がなす接合角度θを、９０°≦θ≦１２０°としたことにより、両者の接合面積を小さくし、必要な蝋材量を低減して蝋付け品質を安定化することができる。また、各リブの凸状部のリブ幅Ｌ１およびその基端部幅Ｌ２が、Ｌ１≧０．８×Ｔｍｉｎ（板厚ｔ１又はチューブ厚さｔ２）、Ｌ２≦０．６×Ｗ／Ｎを満たす構成とされていることから、圧力負荷時に扁平熱交換チューブとヘッダタンクとの蝋付け部にかかる応力およびヘッダタンクにかかる応力を十分に低減することができる。従って、扁平熱交換チューブとヘッダタンクとの蝋付け部の応力を低減してヘッダタンクおよび扁平熱交換チューブの耐圧強度を確保しつつ、蝋付け品質を良好にして熱交換器の品質を向上することができるとともに、蝋材量を低減してコストダウンを図ることができる。
【００１１】
さらに、本発明の熱交換器は、上記の熱交換器において、前記リブが外側に凸状に設けられている場合、前記リブのリブ面と前記扁平熱交換チューブの扁平面とがなす前記接合角度θが、９０°≦θ≦１２０°とされていることを特徴とする。
【００１２】
本発明によれば、リブを外側に凸状に設けた場合、そのリブのリブ面と扁平熱交換チューブの扁平面とがなす接合角度θを、９０°≦θ≦１２０°としているため、蝋付けを安定化することができると同時に、ヘッダタンクと扁平熱交換チューブの蝋付け部にかかる応力が過大化するのを回避しながら、リブの外側面をガイド面として外側に凸状のリブの凸状部に設けられているチューブ挿入孔に扁平熱交換チューブを挿入することができる。つまり、リブを外側に凸状とした場合、その凸状部に設けたチューブ挿入孔に対する扁平熱交換チューブの挿入性が低下するが、接合角度θを、９０°≦θ≦１２０°とすることにより、扁平熱交換チューブの挿入性を向上することができる。従って、製造時の扁平熱交換チューブの挿入性を確保しつつ、扁平熱交換チューブとヘッダタンクの蝋付け部の応力を低減することができる。
【００１３】
さらに、本発明の熱交換器は、上記の熱交換器において、前記リブが内側に凸状に設けられている場合、前記リブのリブ面と前記扁平熱交換チューブの扁平面とがなす前記接合角度θが、９０°≦θ≦１０５°とされていることを特徴とする。
【００１４】
本発明によれば、リブを内側に凸状に設けた場合、そのリブのリブ面と扁平熱交換チューブの扁平面とがなす接合角度θを、９０°≦θ≦１０５°としているため、蝋付けを安定化することができると同時に、ヘッダタンクと扁平熱交換チューブの蝋付け部にかかる応力を十分低い値にキープしながら、リブの凸状部に対するチューブ挿入孔の打ち抜き加工精度を緩和することができる。これによって、ヘッダタンクの製造を容易化することができるとともに、扁平熱交換チューブとヘッダタンクの蝋付け部の応力を低減することができる。
【発明の効果】
【００１５】
本発明によると、チューブ挿入孔周りのバーリングをなくしたバーリングレス構造としても、リブを所定間隔で平行に複数設けたことにより、ヘッダタンクの耐圧強度を十分確保することができ、しかも、そのリブの凸状部に設けたチューブ挿入孔に挿入接続した扁平熱交換チューブの扁平面とリブ面がなす接合角度θを、９０°≦θ≦１２０°としたことにより、両者の接合面積を小さくし、必要な蝋材量を低減して蝋付けを安定化することができる。また、各リブの凸状部のリブ幅Ｌ１およびその基端部幅Ｌ２が、Ｌ１≧０．８×Ｔｍｉｎ（板厚，チューブ厚さ）、Ｌ２≦０．６×Ｗ／Ｎを満たす構成とされていることから、圧力負荷時に扁平熱交換チューブとヘッダタンクとの蝋付け部にかかる応力およびヘッダタンクにかかる応力を十分に低減することができるため、扁平熱交換チューブとヘッダタンクとの蝋付け部の応力を低減してヘッダタンクおよび扁平熱交換チューブの耐圧強度を確保しつつ、蝋付け品質を良好にして熱交換器の品質を向上することができるとともに、蝋材量を低減してコストダウンを図ることができる。
【図面の簡単な説明】
【００１６】
【図１】本発明の第１実施形態に係る熱交換器の外観斜視図である。
【図２】上記熱交換器のヘッダタンク部の縦断面図である。
【図３】図２のＡ−Ａ断面相当図である。
【図４】上記実施形態の変形例に係る図２のＡ−Ａ断面相当図である。
【図５】本発明の第２実施形態に係る図２のＡ−Ａ断面相当図である。
【発明を実施するための形態】
【００１７】
以下に、本発明にかかる実施形態について、図面を参照して説明する。
［第１実施形態］
以下、本発明の第１実施形態について、図１ないし図４を用いて説明する。
図１には、本発明の第１実施形態に係る熱交換器の外観斜視図が示され、図２には、そのヘッダタンク部の縦断面図、図３には、図２のＡ−Ａ断面相当図、図４には、その変形例に係る図２のＡ−Ａ断面相当図が示されている。
熱交換器１は、所定間隔で平行に配設される上下一対のヘッダタンク２，３と、その一対のヘッダタンク２，３に両端部が挿入接続されて平行に配設される複数本の扁平熱交換チューブ４と、複数本の扁平熱交換チューブ４間に配設される波形の伝熱フィン５と、を備えている。
【００１８】
上下一対のヘッダタンク２，３の一方のヘッダタンク２には、冷媒出口ヘッダ６を介して冷媒出口配管７が接続され、他方のヘッダタンク３には、冷媒入口ヘッダ８を介して冷媒入口配管９が接続された構成とされている。本実施形態での熱交換器１は、複数本の扁平熱交換チューブ４内に流通される冷媒と、その外側を流通される空気流ａとを熱交換させることにより、冷媒の蒸発潜熱を利用して空気流ａを冷却する蒸発器に適用した例が示されている。
【００１９】
ヘッダタンク２，３は、図２に示されるように、外面に蝋材をクラッドしたアルミ合金製のクラッド材をプレス成形等により成形したヘッダプレート１０とタンクプレート１１とを嵌合し、その内部を仕切板１２により長さ方向に沿って前後２室１３，１４に仕切るとともに、両端部を蓋部材１５により閉鎖したものとされている。このヘッダプレート１０およびタンクプレート１１には、ヘッダタンク２，３の耐圧強度を確保するため、長さ方向と直交する方向に所定の間隔で平行に外側に凸状のリブ（突出部）１６，１７（一部のみが図示さけている）が複数設けられている。
【００２０】
また、ヘッダプレート１０に設けられるリブ１６は、複数本設けられる扁平熱交換チューブ４の配列に対応して設けられ、その凸状部１８には、図３に示されるように、扁平熱交換チューブ４を挿入接続するためのスリット状チューブ挿入孔１９が打ち抜き加工されている。本実施形態において、チューブ挿入孔１９は、前後２室１３，１４に対応して前後２列に配列され、図２に示されるように、扁平熱交換チューブ４が前後２列に配列されている。
【００２１】
扁平熱交換チューブ４は、内部に長さ方向に沿う複数の冷媒流路が形成されている所定の幅、厚さを有する熱交換チューブであり、押し出し成形や引き抜き成形、あるいは薄板材を断面が長円形状の筒体に成形し、その中に波形のインナーフィンを挿入することによって製造されるアルミ合金製の扁平なチューブによって構成されている。この扁平熱交換チューブ４は、両端部がヘッダタンク２，３のヘッダプレート１０に設けられているチューブ挿入孔１９に挿入（図２，３参照）され、空気流ａ方向に前後２列に配列されて蝋付け接続されるようになっている。
【００２２】
伝熱フィン５は、複数本の扁平熱交換チューブ４間に配設されるものであり、アルミ合金製の薄板を波形にコルゲート成形したものである。この伝熱フィン５は、外表面に蝋材がクラッドされたクラッド材により構成されており、扁平熱交換チューブ４の扁平面に対して波形の頂部が蝋付け接合されるようになっている。なお、熱交換器１のコア部左右両側には、エンドプレート２０が伝熱フィン５の外側に配設され、扁平熱交換チューブ４と同様、その両端部がヘッダタンク２，３間に一体に蝋付け接続されるようになっている。
【００２３】
上記熱交換器１は、その構成部材が全てアルミ合金材製とされ、所要の部材が蝋材をクラッドしたクラッド材とされており、図１の状態に仮組み立てした後、炉中で蝋付けされる構成とされている。かかる熱交換器１において、冷媒入口配管９から冷媒入口ヘッダ８を経てヘッダタンク３に流入した気液二相冷媒は、予め設定されたブロック毎に区分されている扁平熱交換チューブ４内を順次流通し、その間に空気流ａと熱交換して蒸発ガス化され、ヘッダタンク２から冷媒出口ヘッダ６を経て冷媒出口配管７より流出されるようになっている。
【００２４】
なお、熱交換器１内部での冷媒流通は、ヘッダタンク２，３の前後２室１３，１４内の長さ方向に沿う適宜の位置に仕切板を設け、冷媒流通ブロックを適宜のブロックに区分することにより、様々なパターンに設定することができる。このようなパターンは、種々公知であり、本発明の要旨とするところではないので、ここでの説明は省略する。
【００２５】
さらに、上記の如く構成された熱交換器１では、ヘッダタンク２，３の耐圧強度を十分に確保すること、ヘッダタンク２，３と扁平熱交換チューブ４間の蝋付けを、少ない蝋材で安定した品質を確保して行えるようにすること、その蝋付け部に負荷される応力を低減して扁平熱交換チューブ４の剛性を確保しつつ、蝋材が破断する等のリスクを軽減できるようにすること等が求められる。
【００２６】
そこで、本実施形態においては、ヘッダタンク２，３を構成するヘッダプレート１０およびタンクプレート１１に、長さ方向と直交する方向に所定の間隔で平行に外側に凸状としたリブ（突出部）１６，１７を複数設けることによって、剛性および耐圧強度を確保している。そして、ヘッダプレート１０に設けたリブ１６の凸状部１８にバーリングレスのスリット状チューブ挿入孔１９を打ち抜き加工により穿設し、そのチューブ挿入孔１９に扁平熱交換チューブ４の両端部を挿入して蝋付け接続する構成としている。
【００２７】
さらに、この蝋付けに際して、リブ１６と扁平熱交換チューブ４との接合面積を極力小さくし、必要な蝋材量を少なくして安定した蝋付け品質を確保可能とするため、そのリブ面と扁平熱交換チューブ４の扁平面とがなす接合角度θを、少なくとも９０°以上、望ましくは９０°に設定して蝋付けできるようにしている。このように、リブ１６を外側の凸状とし、接合角度θを９０°に設定することにより、リブ１６部の圧力負荷による応力を小さくすることができるが、この場合、チューブ挿入孔１９に対する扁平熱交換チューブ４の挿入性が低下する可能性があるので、図４に示されるように、蝋付け部かかる応力が過大化しない範囲で接合角度θを、９０°≦θ≦１２０°の範囲に設定し、扁平熱交換チューブ４の挿入性を確保できるようにしている。
【００２８】
また、リブ１６の構成については、リブ１６に負荷される応力を極力低減し、その応力が蝋付け部に影響を及ぼさないようにするため、以下のように設定している。
図３に示されるように、リブ１６の凸状部１８のリブ幅（変曲点間の幅）をＬ１、その基端部幅（凸状部の基端部側の変曲点間の幅）をＬ２、チューブ挿入孔１９を設けたヘッダタンク材（タンクプレート１１）の板厚ｔ１又は扁平熱交換チューブ４の厚さｔ２のいずれか小さい方の厚さをＴｍｉｎ、ヘッダタンク２，３の全長をＷ、扁平熱交換チューブ４の本数をＮとしたとき、
Ｌ１≧０．８×Ｔｍｉｎ（板厚ｔ１又はチューブ厚さｔ２）
Ｌ２≦０．６×Ｗ／Ｎ
を満たす構成としている。
【００２９】
リブ１６の凸状部１８のリブ幅Ｌ１を、Ｌ１≧０．８×Ｔｍｉｎ（板厚ｔ１又はチューブ厚さｔ２）とするのは、リブ１６部に対する応力集中を緩和し、ヘッダタンク２，３と扁平熱交換チューブ４の蝋付け箇所にかかる圧力負荷による応力値が大きくなるのを避けるためであり、また、リブ１６の凸状部１８の基端部幅Ｌ２を、Ｌ２≦０．６×Ｗ／Ｎとするのは、リブ幅が大きくなり過ぎることによって、ヘッダタンク２，３の径が実質的に大きくなることによる耐圧強度の低下を防ぐためである。
【００３０】
以上に説明の構成により、本実施形態によれば、以下の作用効果を奏する。
上記熱交換器１において、冷媒入口配管９より冷媒入口ヘッダ８を経てヘッダタンク３の後室１４内に流入された気液二相冷媒は、適宜のブロックに区分されている複数のブロック毎の扁平熱交換チューブ４内を順次流通し、その間に空気流ａと熱交換し、蒸発ガス化されることにより空気流ａを冷却する。一方、蒸発ガス化された冷媒は、ヘッダタンク２の前室１３から冷媒出口ヘッダ６を経て冷媒出口配管７により次工程の圧縮行程へと吸い込まれ、冷凍サイクル内を循環する。
【００３１】
この熱交換作用の際、ヘッダタンク２，３には、冷媒による内圧が作用するため、それに対する耐圧強度を確保する必要があるとともに、扁平熱交換チューブ４との蝋付け品質を確保することにより、蝋付け箇所にかかる圧力負荷による応力に対して、扁平熱交換チューブ４の剛性確保や蝋材の破断による冷媒漏れ等を防止する必要がある。
【００３２】
本実施形態においては、ヘッダタンク２，３の耐圧強度を確保すべく、一対のヘッダタンク２，３の対向する面に、それぞれ外側に凸状のリブ１６，１７を所定間隔で平行に複数設け、リブ１６の凸状部１８に設けたスリット状のチューブ挿入孔１９に扁平熱交換チューブ４を挿入接続し、そのリブ面と扁平熱交換チューブ４の扁平面とがなす接合角度θを、９０°≦θ≦１２０°とするとともに、リブ１６の凸状部１８のリブ幅をＬ１、その基端部幅をＬ２、チューブ挿入孔１９を設けたヘッダタンク材の板厚ｔ１又は扁平熱交換チューブ４の厚さｔ２のいずれか小さい方の厚さをＴｍｉｎ、ヘッダタンク２，３の全長をＷ、扁平熱交換チューブ４の本数をＮとしたとき、Ｌ１≧０．８×Ｔｍｉｎ（板厚ｔ１又はチューブ厚さｔ２）、Ｌ２≦０．６×Ｗ／Ｎを満たす構成としている。
【００３３】
このため、チューブ挿入孔１９の周りに設けるバーリングをなくしたバーリングレス構造としても、リブ１６を所定間隔で平行に複数設けたことにより、ヘッダタンク２，３の耐圧強度を十分確保することができ、しかも、そのリブ１６の凸状部１８に設けたチューブ挿入孔１９に挿入接続した扁平熱交換チューブ４の扁平面とリブ１６のリブ面がなす接合角度θを、９０°≦θ≦１２０°としたことにより、両者の接合面積を小さくし、必要な蝋材量を低減して蝋付け品質を安定化することができる。
【００３４】
また、各リブ１６の凸状部１８のリブ幅Ｌ１およびその基端部幅Ｌ２が、Ｌ１≧０．８×Ｔｍｉｎ（板厚ｔ１又はチューブ厚さｔ２）、Ｌ２≦０．６×Ｗ／Ｎを満たす構成とされていることから、圧力負荷時に扁平熱交換チューブ４とヘッダタンク２，３との蝋付け部にかかる応力およびヘッダタンク２，３にかかる応力を十分に低減することができる。
【００３５】
つまり、リブ１６の凸状部１８のリブ幅Ｌ１を、Ｌ１≧０．８×Ｔｍｉｎ（板厚ｔ１又はチューブ厚さｔ２）とすることにより、リブ１６部に対する応力集中を緩和し、ヘッダタンク２，３と扁平熱交換チューブ４の蝋付け箇所にかかる圧力負荷による応力値が大きくなるのを回避することができ、更に、リブ１６の凸状部１８の基端部幅Ｌ２を、Ｌ２≦０．６×Ｗ／Ｎとすることにより、リブ幅が大きくなり過ぎて、ヘッダタンク２，３の径が実質的に大きくなることによる耐圧強度の低下を防ぐことができる。
【００３６】
これによって、扁平熱交換チューブ４とヘッダタンク２，３との蝋付け部の応力を低減してヘッダタンク２，３および扁平熱交換チューブ４の耐圧強度を確保しつつ、蝋付け品質を良好にして熱交換器１の品質を向上することができるとともに、蝋材量を低減してコストダウンを図ることができる。
【００３７】
また、扁平熱交換チューブ４の扁平面とリブ１６のリブ面がなす接合角度θを、９０°とすることが望ましいが、リブ１６を外側に凸状とすると、チューブ挿入孔１９に対する扁平熱交換チューブ４の挿入性の低下が懸念される。しかし、図４に示されるように、接合角度θを、９０°≦θ≦１２０°としたことにより、蝋付けを安定化することができると同時に、ヘッダタンクと扁平熱交換チューブの蝋付け部にかかる応力が過大化するのを回避しながら、リブの外側面をガイド面として外側に凸状のリブの凸状部に設けられているチューブ挿入孔に扁平熱交換チューブを挿入することができる。従って、製造時の扁平熱交換チューブ４の挿入性を確保しつつ、扁平熱交換チューブ４とヘッダタンク２，３の蝋付け部の応力を低減することができる。
【００３８】
［第２実施形態］
次に、本発明の第２実施形態について、図５を用いて説明する。
本実施形態は、上記した第１実施形態に対して、ヘッダタンク２，３に設けられるリブ（突出部）１６Ａがタンクの内側に凸状に突出されている点が異なる。その他の点については、第１実施形態と同様であるので説明は省略する。
本実施形態では、図５に示されるように、ヘッダタンク２，３を構成するヘッダプレート１０に設けられるリブ１６Ａが、タンクの内側に凸状に設けられ、その凸状部１８Ａにチューブ挿入孔１９Ａが設けられた構成とされている。
【００３９】
そして、リブ１６Ａのリブ面と扁平熱交換チューブ４の扁平面とがなす接合角度θを、９０°以上、望ましくは９０°に設定することによって、蝋付け部の接合面積を極力小さくし、必要な蝋材量を少なくして蝋付けを安定化できるようにしている。但し、本実施形態では、蝋付けを安定化すると同時に、ヘッダタンク２，３と扁平熱交換チューブ４の蝋付け部かかる応力を十分低い値にキープしながら、リブ１６Ａの凸状部１８Ａに対するチューブ挿入孔１９Ａの打ち抜き加工精度を緩和するため、上記接合角度θを、９０°≦θ≦１０５°に設定している。
【００４０】
このように、リブ１６Ａを内側に凸状に設ける場合、そのリブ１６Ａのリブ面と扁平熱交換チューブ４の扁平面とがなす接合角度θを、９０°≦θ≦１０５°に設定することによって、蝋付け部の接合面積を十分に小さくして蝋付けを安定化できると同時に、ヘッダタンク２，３と扁平熱交換チューブ４の蝋付け部にかかる応力を十分低い値にキープしながら、リブ１６Ａの凸状部１８Ａに対するチューブ挿入孔１９Ａの打ち抜き加工精度を緩和することができる。従って、ヘッダタンク２，３の製造を容易化することができるとともに、扁平熱交換チューブ４とヘッダタンク２，３の蝋付け部の応力を低減することができる。
【００４１】
なお、本発明は、上記実施形態にかかる発明に限定されるものではなく、その要旨を逸脱しない範囲において、適宜変形が可能である。例えば、上記実施形態では、熱交換器１を蒸発器に適用した例について説明したが、凝縮器やラジエータ（放熱器）等にも適用できることはもちろんである。
【００４２】
更に、上記実施形態では、ヘッダタンク２，３のタンクプレート１１にもリブ１７を設けた例について説明したが、タンクプレート１１にリブ１７を設けるか否かは、耐圧強度を考慮して適宜決定すればよい。また、ヘッダタンク２，３のヘッダプレート１０とタンクプレート１１間、ヘッダタンク２，３と扁平熱交換チューブ４間、扁平熱交換チューブ４と伝熱フィン５間の蝋付けに際し、どの部材を蝋材のクラッド材とするかは、適宜選択すればよく、上記実施形態のものに限定されるものではない。
【符号の説明】
【００４３】
１  熱交換器
２，３  ヘッダタンク
４  扁平熱交換チューブ
５  伝熱フィン
１６，１６Ａ  リブ（突出部）
１８，１８Ａ  凸状部
１９，１９Ａ  チューブ挿入孔
θ  接合角度
Ｌ１  リブ凸状部のリブ幅
Ｌ２  リブの基端部幅
ｔ１  ヘッダタンク材の板厚
ｔ２  扁平熱交換チューブの厚さ
Ｗ  ヘッダタンクの全長
【図１】
2016080236.tif 000003
【図２】
2016080236.tif 000004
【図３】
2016080236.tif 000005
【図４】
2016080236.tif 000006
【図５】
2016080236.tif 000007